【事件の表示】
　特許第２８６０８７１号「魚釣用スピニングリ−ル」の請求項１ないし５に係る特許に対する特許異議の申立てについて、次のとおり決定する。
【結　論】
　訂正を認める。
　特許第２８６０８７１号の請求項１、２に係る特許を維持する。
【理　由】
一、手続の経緯
　本件特許第２８６０８７１号発明（平成６年１月１２日特許出願、平成１０年１２月１１日設定登録）の特許に対し、特許異議申立人吉葉芳彦（以下、「申立人」という。）より特許異議の申立てがなされた。当審において取消理由を通知したところ、その指定期間内の平成１２年５月１６日に訂正請求がなされたものである。
　
二、訂正の適否についての判断
１．訂正の内容
　特許権者は、特許明細書を次のように訂正しようとするものである。
・訂正事項ａ
　特許明細書の【特許請求の範囲】の
「【請求項１】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間にころがり部材を介在させ、前記摺動子を前後方向にころがり案内させたことを特徴とする魚釣用スピニングリール。
　【請求項２】前記リール本体内に前後方向の溝を設け、該溝内の壁面に前記摺動子に設けた前記ころがり部材を摺接させたことを特徴とする請求項１記載の魚釣用スピニングリール。
　【請求項３】前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設けたことを特徴とする請求項１記載の魚釣用スピニングリール。
　【請求項４】前記リール本体内に前後方向の凸堤を設け、該凸堤の壁面に前記摺動子に設けた前記ころがり部材を摺接させたことを特徴とする請求項１記載の魚釣用スピニングリール。
　【請求項５】前記摺動子のオシレーティング機構をハンドルに連動回転するトラバースカム溝を設けたトラバースカム軸に該トラバースカム溝に係合する係合ピンを設けた摺動子を嵌合して構成したことを特徴とする請求項１記載の魚釣用スピニングリール。」
の記載を、
「【請求項１】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされていることを特徴とする魚釣用スピニングリール。
　【請求項２】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させたことを特徴とする魚釣用スピニングリール。」と訂正する。
・訂正事項ｂ
　特許明細書の段落番号【０００７】の【問題を解決するための手段】の
「本発明は、かかる目的を達成するために、請求項１に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間にころがり部材を介在させ、前記摺動子を前後方向にころがり案内させたことを要旨とするものである。請求項２に係わる発明は、前記リール本体内に前後方向の溝を設け、該溝内の壁面に前記摺動子に設けた前記ころがり部材を摺接させて前記摺動子を前後方向にころがり案内させたことを要旨とするものである。請求項３に係わる発明は、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設けて前記摺動子を前後方向にころがり案内させたことを要旨とするものである。請求項４に係わる発明は、前記リール本体内に前後方向の凸堤を設け、該凸堤の壁面に前記摺動子に設けた前記ころがり部材を摺接させて前記摺動子を前後方向にころがり案内させたことを要旨とするものである。請求項５に係わる発明は、前記摺動子のオシレーティング機構をハンドルに連動回転するトラバースカム溝を設けたトラバースカム軸に該トラバースカム溝に係合する係合ピンを設けた摺動子を嵌合して構成し、前記摺動子を前後方向にころがり案内させたことを要旨とするものである。」
の記載を
「本発明は、かかる目的を達成するために、請求項１に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされていることを要旨とするものである。また、請求項２に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させたことを要旨とするものである。」と訂正する。
・訂正事項ｃ
　特許明細書の段落番号【０００８】の【作用】の
「請求項１に係る魚釣用スピニングリールによれば、摺動子５とリール本体１との間に介在させたころがり部材により、摺動子５は前後方向にころがり案内される。請求項２に係る魚釣用スピニングリールによれば、リール本体１に設けた前後方向の溝内の壁面に摺動子５に設けたころがり部材が摺接される。請求項３に係る魚釣用スピニングリールによれば、リール本体１に設けた前後方向の案内杆に摺動子に設けたころがり部材が摺動される。請求項４に係る魚釣用スピニングリールによれば、リール本体１に設けた前後方向の凸堤の壁面に摺動子に設けたころがり部材が摺接される。請求項５に係る魚釣用スピニングリールによれば、摺動子のオシレーティング機構がハンドルに連動回転するトラバースカム溝を設けたトラバースカム軸にトラバースカム溝に係合する係合ピンを設けた摺動子を嵌合して前後方向に摺動される。前記のように摺動子が摺接されると、摺動子５の摺接は転がり摩擦となり、スプール軸線に対して摺動子５のｙ方向の平行度は、ころがり部材がリール本体１の上下方向（ｙ方向）に拘束されていないから、平行度の不具合による摩擦抵抗の増大は発生しない。更にｚ方向の平行度は仮に平行度に誤差があってもころがり部材の微量回転と自動調芯作用で吸収されて摩擦抵抗の増大とならない。」
の記載を
「請求項１に係る魚釣用スピニングリールによれば、摺動子５とリール本体１との間に介在させたボールベアリングからなるころがり部材により、摺動子５は前後方向にころがり案内される。この場合、ころがり部材は、リール本体内に前後方向に設けられた溝の壁面に摺接され、かつ前記摺動子の下側に形成した凸軸に嵌合されて抜け止めされている。また、請求項２に係る魚釣用スピニングリールによれば、リール本体１にスプール軸と平行に設けた前後方向の案内杆に対して摺動子に設けたころがり部材が摺動される。前記のように摺動子が摺接されると、摺動子５の摺接は転がり摩擦となり、スプール軸線に対して摺動子５のｙ方向の平行度は、ころがり部材がリール本体１の上下方向（ｙ方向）に拘束されていないから、平行度の不具合による摩擦抵抗の増大は発生しない。更にｚ方向の平行度は仮に平行度に誤差があってもころがり部材の微量回転と自動調芯作用で吸収されて摩擦抵抗の増大とならない。」と訂正する。
・訂正事項ｄ
　特許明細書の段落番号【００２３】の
「図８は第４実施例で、図８はリール本体の要部拡大断面背面図である。」
の記載を削除する。
特許明細書の段落番号【００２４】の
「第４実施例では、摺動子５の下側に２本の細い凸軸５ｅ、５ｆが形成されている。凸軸５ｅ、５ｆにはゴムなどの弾性体からなるころがり部材８が回転自在に夫々嵌合されてＥリング２７で抜け止めされている。ころがり部材８はリール本体１の溝ａの間に挿入されている。他の構成は前記第１実施例と略同一である。」
の記載を削除する。
特許明細書の段落番号【００２５】の
「図９は第５実施例で、図９はリール本体の要部拡大断面背面図である。」
の記載を削除する。
特許明細書の段落番号【００２６】の
「第５実施例では、摺動子５の下側に凸軸５ｇが形成されて鋼球からなるころがり部材８′が回転自在に取り付けられてころがり部材８′はリール本体１の溝ａ″の間に嵌合されている。他の構成は前記第１実施例と略同一である。凸軸５ｇは２点鎖線のようにスリ割して積極的に弾性を持たせてもよい。」
の記載を削除する。
・訂正事項ｅ
　特許明細書の段落番号【００２７】の
「図１０から図１４は第６実施例で、図１０は魚釣用スピニングリールの要部断面側面図、図１１はリール本体の要部拡大断面側面図、図１２はリール本体の一部拡大平面図、図１３はリール本体の拡大断面背面図、図１４は摺動子の拡大断面背面図である。」
の記載を
「図８から図１２は第４実施例で、図８は魚釣用スピニングリールの要部断面側面図、図９はリール本体の要部拡大断面側面図、図１０はリール本体の一部拡大平面図、図１１はリール本体の拡大断面背面図、図１２は摺動子の拡大断面背面図である。」と訂正する。
・訂正事項ｆ
　特許明細書の段落番号【００２８】の
「第６実施例では、摺動子５の下側に凹部５ｈが形成されてダブルボール型のボールベアリングからなるころがり部材９が挿入されている。リール本体１に一体的に前後方向に案内杆２８が取り付けられてＥリング２９で抜け止めされている。案内杆２８の外周にはころがり部材９の中心が移動自在に嵌合されている。他の構成は前記第１実施例と略同一である。ころがり部材９は案内杆２８の外周方向に一列に並べられたボール３０とボール３０を位置決めする円筒３１と外輪３２とで構成されて、円筒３１の孔の中でボール３０が回転される。ころがり部材９のボール３０は案内杆２８外周の長手方向に循環式に設けてもよいし、非循環式としてもよい。」
の記載を
「第４実施例では、摺動子５の下側に凹部５ｈが形成されてダブルボール型のボールベアリングからなるころがり部材９が挿入されている。リール本体１に一体的に前後方向に案内杆２８が取り付けられてＥリング２９で抜け止めされている。案内杆２８の外周にはころがり部材９の中心が移動自在に嵌合されている。他の構成は前記第１実施例と略同一である。ころがり部材９は案内杆２８の外周方向に一列に並べられたボール３０とボール３０を位置決めする円筒３１と外輪３２とで構成されて、円筒３１の孔の中でボール３０が回転される。ころがり部材９のボール３０は案内杆２８外周の長手方向に循環式に設けてもよいし、非循環式としてもよい。」と訂正する。
・訂正事項ｇ
　特許明細書の段落番号【００３１】の
「図１５は第７実施例で、図１５はリール本体の要部拡大断面背面図である。」
の記載を
「図１３は第５実施例で、図１３はリール本体の要部拡大断面背面図である。」と訂正する。
・訂正事項ｈ
　特許明細書の段落番号【００３２】の
「第７実施例では、前記第２実施例から第４実施例と略同様に、摺動子５の下側に２本の細い凸軸５ｅ、５ｆが形成されてボールベアリングからなるころがり部材７′が夫々嵌合されてＥリング２７で抜け止めされている。リール本体１内の底面には前後方向の凸堤１ｄが形成されている。ころがり部材７′は、ころがり部材７′間にリール本体１の凸堤１ｄが挾まれるように挿入されている。他の構成は前記第１実施例と略同一である。」
の記載を
「第５実施例では、前記第２実施例及び第３実施例と略同様に、摺動子５の下側に２本の細い凸軸５ｅ、５ｆが形成されてボールベアリングからなるころがり部材７′が夫々嵌合されてＥリング２７で抜け止めされている。リール本体１内の底面には前後方向の凸堤１ｄが形成されている。ころがり部材７′は、ころがり部材７′間にリール本体１の凸堤１ｄが挾まれるように挿入されている。他の構成は前記第１実施例と略同一である。」と訂正する。
・訂正事項ｉ
　特許明細書の段落番号【００３４】の
「前記第２実施例から第４実施例に於て、溝に変えて凸堤１ｄを設けてもよい。前記各実施例の説明では、摺動子のオシレーティング機構をトラバースカム軸で構成説明したが、前記説明の本駆動歯車の軸に歯車を嵌合固定してこの歯車に噛合する歯車にピンを固定して摺動子を前後動運動させる構成や、外駆動歯車の側部に設けたカムで摺動子に連結した連結板を作動させて摺動子を前後動運動させる構成で摺動子のオシレーティング機構としてもよい。前記請求項５のように発明が構成されると、トラバースカム軸を使用したオシレーティング機構の摺動子がころがり案内支持されることにより、ロングストロークの場合に前記案や杆を実施するとリールが大型化するが、トラバースカム軸を使用するとリールの大型化を極力防止しながらスプールのロングストローク化及び平行巻き化を図れると共に、軽快な巻取り性及び安定したオシレーティング機能を得ることが可能となる。」
の記載を
「前記第２実施例及び第３実施例に於て、溝に変えて凸堤１ｄを設けてもよい。前記各実施例の説明では、摺動子のオシレーティング機構をトラバースカム軸で構成説明したが、前記説明の本駆動歯車の軸に歯車を嵌合固定してこの歯車に噛合する歯車にピンを固定して摺動子を前後動運動させる構成や、外駆動歯車の側部に設けたカムで摺動子に連結した連結板を作動させて摺動子を前後動運動させる構成で摺動子のオシレーティング機構としてもよい。」と訂正する。
・訂正事項ｊ
　特許明細書の段落番号【００３５】の【発明の効果】の
「本発明は前述のように構成されたから、各請求項に記載の発明によれば、摺動子がころがり案内支持されることで転がり摩擦となると共に、平行度の不具合による摩擦抵抗の増大は発生せず、軽快で円滑な巻取り操作性が得られ、摺動子の回転方向のガタを極力防止できるので、耐久性が向上し、長期間、安定したオシレート機能が得られる。又、請求項５の発明によれば更にリールの大型化を極力防止しながらスプールのロングストローク化及び平行巻き化を図れると共に、軽快な巻取り性及び安定したオシレーティング機能を得ることが可能となる等優れた効果を奏する魚釣用スピニングリールを提供することが出来る。」
の記載を
「本発明は前述のように構成されたから、各請求項に記載の発明によれば、摺動子がころがり案内支持されることで転がり摩擦となると共に、平行度の不具合による摩擦抵抗の増大は発生せず、軽快で円滑な巻取り操作性が得られ、摺動子の回転方向のガタを極力防止できるので、耐久性が向上し、長期間、安定したオシレート機能が得られる。」と訂正する。
・訂正事項ｋ
　特許明細書の【図面の簡単な説明】の
「【図８】第４実施例で、リール本体の要部拡大断面背面図である。
　【図９】第５実施例で、リール本体の要部拡大断面背面図である。
　【図１０】第６実施例で、魚釣用スピニングリールの要部断面側面図である。
　【図１１】同リール本体の要部拡大断面側面図である。
　【図１２】同リール本体の一部拡大平面図である。
　【図１３】同リール本体の拡大断面背面図である。
　【図１４】同摺動子の拡大断面背面図である。
　【図１５】第７実施例で、リール本体の拡大断面背面図である。」
の記載を
「【図８】第４実施例で、魚釣用スピニングリールの要部断面側面図である。
　【図９】同リール本体の要部拡大断面側面図である。
　【図１０】同リール本体の一部拡大平面図である。
　【図１１】同リール本体の拡大断面背面図である。
　【図１２】同摺動子の拡大断面背面図である。
　【図１３】第５実施例で、リール本体の拡大断面背面図である。」と訂正する。
・訂正事項ｌ
　特許明細書に添付した図面【図８】及び【図９】を削除し、同図面【図１０】〜【図１５】をそれぞれ【図８】〜【図１３】と訂正する。
　
２．訂正の目的の適否、新規事項の有無及び拡張・変更の存否
　訂正事項ａの訂正は、特許請求の範囲の減縮を目的とするものに該当する。また、訂正事項ｂ〜訂正事項ｋの訂正は、発明の詳細な説明の記載を訂正後の特許請求の範囲の記載と整合させるためのものであり、訂正事項ｌは図面の記載を訂正後の特許請求の範囲の記載と整合させるためのものであるから、上記訂正事項ｂ〜訂正事項ｌの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．独立特許要件の判断
（１）訂正明細書の発明
　訂正明細書の請求項１に係る発明（以下、「訂正明細書の発明１」という。）及び訂正明細書の請求項２に係る発明（以下、「訂正明細書の発明２」という。）は、それぞれ訂正明細書の特許請求の範囲の請求項１及び請求項２に記載された事項により特定されるとおりのものである。（上記二、１．訂正の内容の欄に訂正事項ａとして記載した請求項１及び請求項２を参照。）
　
（２）刊行物
・刊行物１：特開昭５０−１４８１９４号公報（申立人提出の甲第１号証）
・刊行物２：実公昭６１−６７６６号公報
　
（３）各刊行物に記載の発明
・刊行物１には、次の事項が記載されている。
　「１９は上記管軸１３へ摺動自在に嵌挿したメインシャフトで、その先端へ周設した雄螺子にドラグノブ２０を螺着し、又調整ワッシャー２２を介してスプール２１を固定している。又メインシャフト１９の後端はボデー１へ穿設した孔２３へ摺動自在に嵌合支承されている。２４は上記メインシャフト１９へ回転自在に嵌挿させたオシレーターで、上記ダブルメインギヤの第２ギヤ１０と同一ピッチに刻設されるピニオン２５を一端へ周設し、上記第２ギヤ１０と噛合させ、又外周へトラバースカム溝２６を周設させてある。２７はパイプ状に形成されたオシレーティングスライダーで上記オシレーター２４及びメインシャフト１９へ嵌挿されてメインシャフト１９を螺子２８止めして成る。オシレーティングスライダー２７は周壁から螺筒２９を設け、螺子蓋３０を螺着して係合子３１を内装し、該係合子３１を上記トラバースカム溝２６に係合している。更に周壁には上記裸筒２９と直角方向へ夫々対称に突設した腕３２、３２を有し、該腕の端部近くへコロ３３を支承して成り、前記ボデー１の内壁上下から対向して突設したガイド板３４一側へ突接して配置され、回転は阻止されていると共にコロ３３はガイド板３４とコロがり接触してメインシャフトと共にその軸方向へ往復運動する。」（２頁右上欄１８行〜２頁右下欄１行）、
　「更にメインシャフトを固定し、オシレーターへ嵌挿されるオシレーティングスライダーは、その両側へ突出した腕に支承させたコロによりボデーのガイド板とコロがり接触により摺動するため、抵抗は極めて少なく作動は円滑となり、使用者の糸巻き労力を軽減でき、」（３頁右上欄８行〜１３行）。
・刊行物２には、次の事項が記載されている。
　「スプール軸末端に固着した駒体を前記スプール軸の下端にこれと平行して支承された回転軸のトラバースカム溝に係合せしめてスプール軸を往復摺動するようにした魚釣用スピニングリールにおいて前記駒体の下端部を筐体底面に形成した案内レールに摺動自在に嵌合した構造。」（１欄２〜７行の実用新案登録請求の範囲）、
　「しかして前記スプール軸１１の末端には回転軸１３に嵌合する駒体１５が固着されると共に該駒体１５には前記トラバースカム溝１２に係合する係合子１６が嵌着保持され、回転軸１３が回動することによりスプール軸１１を往復摺動するように形成されており、更に駒体１５の下端に設けられた嵌合溝１７は筐体２底面に形成された案内レール１８にスライド自在に嵌合している。」（２欄１６〜２３行）、
　「本考案実施例は上記のように構成されているからハンドル８によりハンドル軸筒６を回動するとローター３は駆動歯車７、ピニオン５を介して回動されると共にピニオン５は更に小歯車１０を介して回転軸１３を回転させ、トラバースカム溝１２によってこれに係合する係合子１６を介して駒体１５を往復動しスプール軸１１を往復摺動させると同時に駒体１５はその嵌合溝１７が筐体２の案内レール１８に嵌合して誘導案内されている。」（２欄２４行〜３欄４行）、
 　「本考案は・・・駒体の下端部を筐体底面に形成した案内レールに摺動自在に嵌合したので、駒体は摺動時案内レールによって円滑に誘導案内されてスプール軸を往復摺動させ、駒体の回転軸に対する嵌合孔及びトラバースカム溝を有する回転軸の磨耗を極力防止すると共に駒体のガタの発生も防止してスプール軸の摺動作用を円滑確実ならしめる」（３欄５行〜４欄３行）。
　
（４）対比・判断
　ここで、訂正明細書の発明１と刊行物１又は刊行物２に記載の発明とを対比すると、刊行物１及び刊行物２には、訂正明細書の発明１を特定し、本件訂正によって限定された事項である「前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされている」の構成（ａ）が記載されてなく、示唆されてもいない。
　また、訂正明細書の発明２と刊行物１又は刊行物２に記載の発明とを対比しても、刊行物１及び刊行物２には、訂正明細書の発明２を特定し、本件訂正によって限定された事項である「前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させた」の構成（ｂ）が記載されてなく、示唆もない。
　そして、訂正明細書の発明１及び訂正明細書の発明２は、それぞれ前記構成（ａ）及び（ｂ）により明細書に記載の効果を奏するものと認められる。
　そうしてみると、訂正明細書の発明１及び訂正明細書の発明２は、上記刊行物１又は刊行物２にそれぞれ記載された発明であるとすることができないばかりでなく、上記刊行物１及び刊行物２に記載された発明に基いて当業者が容易に発明をすることができたものとすることもできない。
　したがって、訂正明細書の発明は特許出願の際独立して特許を受けることができるものである。
　
４．むすび
　以上のとおりであるから、上記訂正請求は、特許法等の一部を改正する法律（平成６年法律第１１６号）附則第６条第１項の規定によりなお従前の例によるとされる、平成１１年改正前の特許法第１２０条の４第３項の規定において準用する平成６年改正法による改正前の特許法第１２６条第１項ただし書き、第２項及び第３項の訂正に関する規定に適合するので、当該訂正を認める。
　
三、特許異議申立てについて
１．特許異議申立理由の概要
　申立人は下記の証拠方法を提示して、本件の請求項１、請求項４及び請求項５に係る発明は、甲第１号証又は甲第２号証に記載された発明であるか、又は甲第１号証及び甲第２号証に記載された発明に基いて当業者が容易に発明をすることができたものであり、また、本件の請求項２及び請求項３に係る発明は、甲第１号証ないし甲第４号証に記載された発明に基いて当業者が容易に発明をすることができたものであるから、本件の請求項１ないし請求項５に係る発明の特許は、特許法第２９条第１項第３号の規定、或いは同法第２９条第２項の規定に違背してなされたものであり、本件特許は取り消されるべきである、と主張している。
　　　　　　　　　　　　　　　　　記
・甲第１号証：特開昭５０−１４８１９４号公報
・甲第２号証：「’７２　ＣＡＴＡＬＯＧ／ＯＬＹＭＰＩＣ」オリムピック釣具株式会社発行の第２頁〜第３頁
・甲第３号証：実公昭５５−３９９７６号公報
・甲第４号証：実願平３−８３５７１号（実開平５−３４８６５号公報）のＣＤ−ＲＯＭ
　
２．当審の判断
（１）本件発明
　本件発明１及び本件発明２は、それぞれ、訂正明細書の特許請求の範囲の請求項１及び請求項２に記載された事項により特定されるとおりのものである。（上記二、１．訂正の内容の欄に訂正事項ａとして記載した請求項１及び請求項２を参照。）
　
（２）甲号各証に記載の発明
　・甲第１号証には、上記二、３．独立特許要件の判断の（３）各刊行物に記載の発明の欄に、刊行物１に記載の発明として記載したとおりの事項が記載されている。
　・甲第２号証には、「スピニングリール純９３」に関し、スピニングリール本体のカットモデルの内部からの引き出し線上に「ステンレスローラー」と記載された写真と共に、「スベリコ部に、初めてステンレスローラーを採用、スプールの往復運動は、荷重に関係なく全くスムーズに作動します（レッツゴー・カセット７００，６００にも採用）」が記載されている。
　・甲第３号証には、その第１図及び第２図に、リール本体６の左右の内壁に前後方向に延びる溝が形成され、その溝に、スプールを前後往復させる摺動子の左右両側に突設したピンを嵌合し、溝に沿って案内摺動させる構成が図示されている。
　・甲第４号証には、「摺動子１２に形成した貫通孔１２Ａに挿通する状態で、この摺動子１２を案内する杆状のガイド部材２６を、スプール軸１３と平行姿勢で備えて成り、このガイド部材２６は、リール本体２の側に形成した凹部２Ａと、蓋部材２５の内面に形成した突片２５Ａとで成る支持部Ｈ，Ｈによって、その両端部を支持している。」（７頁１５行〜１９行）が記載されている。
　
（３）判断
　本件発明１又は本件発明２と甲第１号証に記載の発明とを対比すると、上記二、３．独立特許要件の判断の（４）対比・判断の欄に、訂正明細書の発明１或いは訂正明細書の発明２と刊行物１に記載の発明との対比について記載したとおり、甲第１号証（刊行物１）には、本件発明１を特定する事項である「前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされている」の構成（ａ）、及び、本件発明２を特定する事項である「前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させた」の構成（ｂ）が記載されてなく、また示唆されてもいない。
　また、本件発明１又は本件発明２と甲第２号証ないし甲第４号証に記載の発明とを対比しても、甲第２号証ないし甲第４号証には、本件発明１の前記構成（ａ）、及び、本件発明２の前記構成（ｂ）が記載されてなく、また示唆もない。
　そして、本件発明１及び本件発明２は、それぞれ前記構成（ａ）及び（ｂ）により明細書に記載の効果を奏するものと認められるから、本件発明１及び本件発明２を、甲第１号証ないし甲第４号証に記載された発明であるとすることも、また、甲第１号証ないし甲第４号証に記載された発明に基いて当業者が容易に発明をすることができたものとすることもできない。
　
３．むすび
　以上のとおりであるから、特許異議の申立ての理由によっては本件発明についての特許を取り消すことができない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月２０日（２０００．６．２０）
【訂正の要旨】
訂正の要旨
　・訂正事項ａ
　特許明細書の【特許請求の範囲】の
「【請求項１】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間にころがり部材を介在させ、前記摺動子を前後方向にころがり案内させたことを特徴とする魚釣用スピニングリール。
　【請求項２】前記リール本体内に前後方向の溝を設け、該溝内の壁面に前記摺動子に設けた前記ころがり部材を摺接させたことを特徴とする請求項１記載の魚釣用スピニングリール。
　【請求項３】前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設けたことを特徴とする請求項１記載の魚釣用スピニングリール。
　【請求項４】前記リール本体内に前後方向の凸堤を設け、該凸堤の壁面に前記摺動子に設けた前記ころがり部材を摺接させたことを特徴とする請求項１記載の魚釣用スピニングリール。
　【請求項５】前記摺動子のオシレーティング機構をハンドルに連動回転するトラバースカム溝を設けたトラバースカム軸に該トラバースカム溝に係合する係合ピンを設けた摺動子を嵌合して構成したことを特徴とする請求項１記載の魚釣用スピニングリール。」の記載を、
特許請求の範囲の減縮を目的として、
「【請求項１】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされていることを特徴とする魚釣用スピニングリール。
　【請求項２】ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させたことを特徴とする魚釣用スピニングリール。」と訂正する。
・訂正事項ｂ
　特許明細書の段落番号【０００７】の【問題を解決するための手段】の
「本発明は、かかる目的を達成するために、請求項１に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間にころがり部材を介在させ、前記摺動子を前後方向にころがり案内させたことを要旨とするものである。請求項２に係わる発明は、前記リール本体内に前後方向の溝を設け、該溝内の壁面に前記摺動子に設けた前記ころがり部材を摺接させて前記摺動子を前後方向にころがり案内させたことを要旨とするものである。請求項３に係わる発明は、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設けて前記摺動子を前後方向にころがり案内させたことを要旨とするものである。請求項４に係わる発明は、前記リール本体内に前後方向の凸堤を設け、該凸堤の壁面に前記摺動子に設けた前記ころがり部材を摺接させて前記摺動子を前後方向にころがり案内させたことを要旨とするものである。請求項５に係わる発明は、前記摺動子のオシレーティング機構をハンドルに連動回転するトラバースカム溝を設けたトラバースカム軸に該トラバースカム溝に係合する係合ピンを設けた摺動子を嵌合して構成し、前記摺動子を前後方向にころがり案内させたことを要旨とするものである。」の記載を、
明りょうでない記載の釈明を目的として、
「本発明は、かかる目的を達成するために、請求項１に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間に介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされていることを要旨とするものである。また、請求項２に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させたことを要旨とするものである。」と訂正する。
・訂正事項ｃ
　特許明細書の段落番号【０００８】の【作用】の
「請求項１に係る魚釣用スピニングリールによれば、摺動子５とリール本体１との間に介在させたころがり部材により、摺動子５は前後方向にころがり案内される。請求項２に係る魚釣用スピニングリールによれば、リール本体１に設けた前後方向の溝内の壁面に摺動子５に設けたころがり部材が摺接される。請求項３に係る魚釣用スピニングリールによれば、リール本体１に設けた前後方向の案内杆に摺動子に設けたころがり部材が摺動される。請求項４に係る魚釣用スピニングリールによれば、リール本体１に設けた前後方向の凸堤の壁面に摺動子に設けたころがり部材が摺接される。請求項５に係る魚釣用スピニングリールによれば、摺動子のオシレーティング機構がハンドルに連動回転するトラバースカム溝を設けたトラバースカム軸にトラバースカム溝に係合する係合ピンを設けた摺動子を嵌合して前後方向に摺動される。前記のように摺動子が摺接されると、摺動子５の摺接は転がり摩擦となり、スプール軸線に対して摺動子５のｙ方向の平行度は、ころがり部材がリール本体１の上下方向（ｙ方向）に拘束されていないから、平行度の不具合による摩擦抵抗の増大は発生しない。更にＺ方向の平行度は仮に平行度に誤差があってもころがり部材の微量回転と自動調芯作用で吸収されて摩擦抵抗の増大とならない。」の記載を、
明りょうでない記載の釈明を目的として、
「請求項１に係る魚釣用スピニングリールによれば、摺動子５とリール本体１との間に介在させたボールベアリングからなるころがり部材により、摺動子５は前後方向にころがり案内される。この場合、ころがり部材は、リール本体内に前後方向に設けられた溝の壁面に摺接され、かつ前記摺動子の下側に形成した凸軸に嵌合されて抜け止めされている。また、請求項２に係る魚釣用スピニングリールによれば、リール本体１にスプール軸と平行に設けた前後方向の案内杆に対して摺動子に設けたころがり部材が摺動される。前記のように摺動子が摺接されると、摺動子５の摺接は転がり摩擦となり、スプール軸線に対して摺動子５のｙ方向の平行度は、ころがり部材がリール本体１の上下方向（ｙ方向）に拘束されていないから、平行度の不具合による摩擦抵抗の増大は発生しない。更にＺ方向の平行度は仮に平行度に誤差があってもころがり部材の微量回転と自動調芯作用で吸収されて摩擦抵抗の増大とならない。」と訂正する。
・訂正事項ｄ
　特許明細書の段落番号【００２３】の
「図８は第４実施例で、図８はリール本体の要部拡大断面背面図である。」の記載、
　同段落番号【００２４】の
「第４実施例では、摺動子５の下側に２本の細い凸軸５ｅ、５ｆが形成されている。凸軸５ｅ、５ｆにはゴムなどの弾性体からなるころがり部材８が回転自在に夫々嵌合されてＥリング２７で抜け止めされている。ころがり部材８はリール本体１の溝ａの間に挿入されている。他の構成は前記第１実施例と略同一である。」の記載、
　同段落番号【００２５】の
「図９は第５実施例で、図９はリール本体の要部拡大断面背面図である。」の記載、及び
　同段落番号【００２６】の
「第５実施例では、摺動子５の下側に凸軸５ｇが形成されて鋼球からなるころがり部材８′が回転自在に取り付けられてころがり部材８′はリール本体１の溝ａ″の間に嵌合されている。他の構成は前記第１実施例と略同一である。凸軸５ｇは２点鎖線のようにスリ割して積極的に弾性を持たせてもよい。」の記載を、
明りょうでない記載の釈明を目的として、
削除する訂正をする。
・訂正事項ｅ
　特許明細書の段落番号【００２７】の
「図１０から図１４は第６実施例で、図１０は魚釣用スピニングリールの要部断面側面図、図１１はリール本体の要部拡大断面側面図、図１２はリール本体の一部拡大平面図、図１３はリール本体の拡大断面背面図、図１４は摺動子の拡大断面背面図である。」の記載を、
明りょうでない記載の釈明を目的として、
「図８から図１２は第４実施例で、図８は魚釣用スピニングリールの要部断面側面図、図９はリール本体の要部拡大断面側面図、図１０はリール本体の一部拡大平面図、図１１はリール本体の拡大断面背面図、図１２は摺動子の拡大断面背面図である。」と訂正する。
・訂正事項ｆ
　特許明細書の段落番号【００２８】の
「第６実施例では、摺動子５の下側に凹部５ｈが形成されてダブルボール型のボールベアリングからなるころがり部材９が挿入されている。リール本体１に一体的に前後方向に案内杆２８が取り付けられてＥリング２９で抜け止めされている。案内杆２８の外周にはころがり部材９の中心が移動自在に嵌合されている。他の構成は前記第１実施例と略同一である。ころがり部材９は案内杆２８の外周方向に一列に並べられたボール３０とボール３０を位置決めする円筒３１と外輪３２とで構成されて、円筒３１の孔の中でボール３０が回転される。ころがり部材９のボール３０は案内杆２８外周の長手方向に循環式に設けてもよいし、非循環式としてもよい。」の記載を、
明りょうでない記載の釈明を目的として、
「第４実施例では、摺動子５の下側に凹部５ｈが形成されてダブルボール型のボールベアリングからなるころがり部材９が挿入されている。リール本体１に一体的に前後方向に案内杆２８が取り付けられてＥリング２９で抜け止めされている。案内杆２８の外周にはころがり部材９の中心が移動自在に嵌合されている。他の構成は前記第１実施例と略同一である。ころがり部材９は案内杆２８の外周方向に一列に並べられたボール３０とボール３０を位置決めする円筒３１と外輪３２とで構成されて、円筒３１の孔の中でボール３０が回転される。ころがり部材９のボール３０は案内杆２８外周の長手方向に循環式に設けてもよいし、非循環式としてもよい。」と訂正する。
・訂正事項ｇ
　特許明細書の段落番号【００３１】の
「図１５は第７実施例で、図１５はリール本体の要部拡大断面背面図である。」の記載を、
明りょうでない記載の釈明を目的として、
「図１３は第５実施例で、図１３はリール本体の要部拡大断面背面図である。」と訂正する。
・訂正事項ｈ
　特許明細書の段落番号【００３２】の
「第７実施例では、前記第２実施例から第４実施例と略同様に、摺動子５の下側に２本の細い凸軸５ｅ、５ｆが形成されてボールベアリングからなるころがり部材７′が夫々嵌合されてＥリング２７で抜け止めされている。リール本体１内の底面には前後方向の凸堤１ｄが形成されている。ころがり部材７′は、ころがり部材７′間にリール本体１の凸堤１ｄが挾まれるように挿入されている。他の構成は前記第１実施例と略同一である。」の記載を、
明りょうでない記載の釈明を目的として、
「第５実施例では、前記第２実施例及び第３実施例と略同様に、摺動子５の下側に２本の細い凸軸５ｅ、５ｆが形成されてボールベアリングからなるころがり部材７′が夫々嵌合されてＥリング２７で抜け止めされている。リール本体１内の底面には前後方向の凸堤１ｄが形成されている。ころがり部材７′は、ころがり部材７′間にリール本体１の凸堤１ｄが挾まれるように挿入されている。他の構成は前記第１実施例と略同一である。」と訂正する。
・訂正事項ｉ
　特許明細書の段落番号【００３４】の
「前記第２実施例から第４実施例に於て、溝に変えて凸堤１ｄを設けてもよい。前記各実施例の説明では、摺動子のオシレーティング機構をトラバースカム軸で構成説明したが、前記説明の本駆動歯車の軸に歯車を嵌合固定してこの歯車に噛合する歯車にピンを固定して摺動子を前後動運動させる構成や、外駆動歯車の側部に設けたカムで摺動子に連結した連結板を作動させて摺動子を前後動運動させる構成で摺動子のオシレーティング機構としてもよい。前記請求項５のように発明が構成されると、トラバースカム軸を使用したオシレーティング機構の摺動子がころがり案内支持されることにより、ロングストロークの場合に前記案や杆を実施するとリールが大型化するが、トラバースカム軸を使用するとリールの大型化を極力防止しながらスプールのロングストローク化及び平行巻き化を図れると共に、軽快な巻取り性及び安定したオシレーティング機能を得ることが可能となる。」の記載を、
明りょうでない記載の釈明を目的として、
「前記第２実施例及び第３実施例に於て、溝に変えて凸堤１ｄを設けてもよい。前記各実施例の説明では、摺動子のオシレーティング機構をトラバースカム軸で構成説明したが、前記説明の本駆動歯車の軸に歯車を嵌合固定してこの歯車に噛合する歯車にピンを固定して摺動子を前後動運動させる構成や、外駆動歯車の側部に設けたカムで摺動子に連結した連結板を作動させて摺動子を前後動運動させる構成で摺動子のオシレーティング機構としてもよい。」と訂正する。
・訂正事項ｊ
　特許明細書の段落番号【００３５】の【発明の効果】の
「本発明は前述のように構成されたから、各請求項に記載の発明によれば、摺動子がころがり案内支持されることで転がり摩擦となると共に、平行度の不具合による摩擦抵抗の増大は発生せず、軽快で円滑な巻取り操作性が得られ、摺動子の回転方向のガタを極力防止できるので、耐久性が向上し、長期間、安定したオシレート機能が得られる。又、請求項５の発明によれば更にリールの大型化を極力防止しながらスプールのロングストローク化及び平行巻き化を図れると共に、軽快な巻取り性及び安定したオシレーティング機能を得ることが可能となる等優れた効果を奏する魚釣用スピニングリールを提供することが出来る。」の記載を、
明りょうでない記載の釈明を目的として、
「本発明は前述のように構成されたから、各請求項に記載の発明によれば、摺動子がころがり案内支持されることで転がり摩擦となると共に、平行度の不具合による摩擦抵抗の増大は発生せず、軽快で円滑な巻取り操作性が得られ、摺動子の回転方向のガタを極力防止できるので、耐久性が向上し、長期間、安定したオシレート機能が得られる。」と訂正する。
・訂正事項ｋ
　特許明細書の【図面の簡単な説明】の
「【図８】第４実施例で、リール本体の要部拡大断面背面図である。
　【図９】第５実施例で、リール本体の要部拡大断面背面図である。
　【図１０】第６実施例で、魚釣用スピニングリールの要部断面側面図である。
　【図１１】同リール本体の要部拡大断面側面図である。
　【図１２】同リール本体の一部拡大平面図である。
　【図１３】同リール本体の拡大断面背面図である。
　【図１４】同摺動子の拡大断面背面図である。
　【図１５】第７実施例で、リール本体の拡大断面背面図である。」の記載を、
明りょうでない記載の釈明を目的として、
「【図８】第４実施例で、魚釣用スピニングリールの要部断面側面図である。
　【図９】同リール本体の要部拡大断面側面図である。
　【図１０】同リール本体の一部拡大平面図である。
　【図１１】同リール本体の拡大断面背面図である。
　【図１２】同摺動子の拡大断面背面図である。
　【図１３】第５実施例で、リール本体の拡大断面背面図である。」と訂正する。
・訂正事項ｌ
特許明細書に添付した図面【図８】及び【図９】を、
明りょうでない記載の釈明を目的として、
削除する訂正をし、
同図面【図１０】〜【図１５】を、
明りょうでない記載の釈明を目的として、
それぞれ【図８】〜【図１３】と訂正する。
（５４）【発明の名称】
魚釣用スピニングリール
（５７）【特許請求の範囲】
　【請求項１】　ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、
　前記摺動子とリール本体との間に
介在され、前記摺動子を前後方向にころがり案内させるボールベアリングからなるころがり部材を有しており、
　
前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされている
　【請求項２】　
ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、
　前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、前記摺動子を前後方向にころがり案内させたことを特徴とする魚釣用スピニングリール。
【発明の詳細な説明】
　【０００１】
　【産業上の利用分野】
　この発明は、スプールを前後動させる摺動子のオシレーティング機構を改善した魚釣用スピニングリールに関する。
　【０００２】
　【従来の技術】
　従来ハンドルの回転を前後動運動に変換するリール本体内に設けたオシレーティング機構の摺動子には、先端部にスプールを有するスプール軸の後部が取り付けられると共に、摺動子を前後動運動させるためには、例えば▲１▼特公昭５０−２１３９０号公報のように、駆動歯車の軸に歯車を嵌合固定してこの歯車に噛合する歯車にピンを固定して摺動子を前後動運動させたり、▲２▼実公昭５５−３９９７６号公報のように、駆動歯車の側部に設けたカムで摺動子に連結した連結板を作動させて摺動子を前後動運動させたり、▲３▼実公昭６１−６７６６号公報や▲４▼実開平４−３８２６６号公報のように、トラバースカム軸に嵌合した摺動子を前後動運動させる方式が知られている。
　前記のように摺動子を前後動運動させながら釣糸をスプールに巻き上げる時、釣糸に負荷が加わった条件下での摺動となるので、スプール軸の回転方向にガタが発生し、このガタ発生により起こる耐久性の低下、係合部の変形等によるオシレート機能の低下が発生する。
　【０００３】
　前記スプール軸の回転方向のガタを少なくして、ガタ発生により起こる耐久性の低下、係合部の変形等によるオシレート機能の低下を防止するために、▲２▼実公昭５５−３９９７６号公報では、摺動子にピンを設けてリール本体の溝に挿入している。
　又、▲３▼実公昭６１−６７６６号公報では、摺動子の下端部をリール本体内の筐体底面に形成した案内レールを跨ぐように摺動自在に嵌合している。
　更に▲４▼実開平４−３８２６６号公報では、摺動子内にリール本体に取り付けた案内杆を貫通させている。
　しかし、前記構成ではピンと溝及び案内レールや案内杆と摺動子とは摺動方式のため、摩擦抵抗が大きく、釣糸に負荷が加わった条件下での摺動となるので巻上効率が悪かった。
　更にスプール軸線に対して溝や案内レールや案内杆の間隔方向のｙ方向や横方向のｚ方向の平行度が要求される。
　【０００４】
　平行度が悪いとピンと溝及び案内レールや案内杆とスプール軸の後部が取り付けられた摺動子との嵌合精度が悪くなり、摩擦抵抗が増大され、前後動性に悪影響をきたし、円滑なオシレート機能が得られないと共に、この不具合を解消するために、成形又は加工上、及び部品において寸法的に誤差が生じた場合を考慮してスプール軸との平行度を維持する嵌合精度を多少ラフに形成すると、スプール軸つまり、摺動子の回転方向のガタが大きくなり、前記のようにオシレート機能が低下する問題点が発生する。
　又、摩擦抵抗が増大されると、釣糸の巻き上げ操作が重くなり、摺動部が摩耗し易く、耐久性に劣り、長期間、安定したオシレート機能が得られない。
　【０００５】
　【発明が解決しようとする課題】
　解決しようとする問題点は、前後方向に移動する際に摺動子がリール本体に摺接した状態で支持案内されるため、摩擦抵抗が大きく、釣糸に負荷が加わった条件下での摺動となるので巻上効率が悪く、摺動部が摩耗し易く、耐久性に劣り、長期間、安定したオシレート機能が得られない。
　更にスプール軸線に対して摺動子の高い平行度が要求されるが、難しく、平行度が悪いと摩擦抵抗が増大され、釣糸の巻き上げ操作が重くなり、一層安定したオシレート機能が得られない。
　スプール軸との平行度を維持する嵌合精度を多少ラフに形成されると、摺動子の回転方向のガタが大きくなり、オシレート機能が低下することである。
　【０００６】
　本発明の目的は前記欠点に鑑み、摺動方式の滑り摩擦に対して転がり摩擦にすると共に、スプール軸線に対する平行度の影響を緩和して軽快で円滑な巻取り操作性が得られる魚釣用スピニングリールを提供することである。
　【０００７】
　【問題を解決するための手段】
　本発明は、かかる目的を達成するために、
　請求項１に係わる発明は、ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記摺動子とリール本体との間に
介在され、前記摺動子を前後方向にころがり案内させるボールベアリングからなるころがり部材を有しており、前記リール本体内に前後方向の溝を設け、該溝内の壁面に前記ころがり部材を摺接させると共に、前記摺動子の下側に形成した凸軸に、前記ボールベアリングからなるころがり部材が嵌合されて抜け止めされている
　
また、
ハンドルの回転を前後動運動に変換するリール本体内に設けたオシレーティング機構の摺動子に先端部にスプールを有するスプール軸の後部を取り付けて該スプール軸を前後動して成る魚釣用スピニングリールにおいて、前記リール本体内に前記スプール軸と平行に前後方向の案内杆を取り付け、前記摺動子に前後方向の凹部を形成し、該凹部に前記案内杆を挿通して摺動子を前後移動可能とし、前記案内杆外周と前記凹部内周との間にころがり部材を設け、
　【０００８】
　【作用】
　請求項１に係る魚釣用スピニングリールによれば、摺動子５とリール本体１との間に介在させた
ボールベアリングからなる
この場合、ころがり部材は、リール本体内に前後方向に設けられた溝の壁面に摺接され、かつ前記摺動子の下側に形成した凸軸に嵌合されて抜け止めされている。
　また、請求項２に係る魚釣用スピニングリールによれば、
リール本体１にスプール軸と平行に設けた前後方向の案内杆に対して摺動子に設けたころがり部材が摺動される。
　前記のように摺動子が摺接されると、摺動子５の摺接は転がり摩擦となり、スプール軸線に対して摺動子５のｙ方向の平行度は、ころがり部材がリール本体１の上下方向（ｙ方向）に拘束されていないから、平行度の不具合による摩擦抵抗の増大は発生しない。
　更にｚ方向の平行度は仮に平行度に誤差があってもころがり部材の微量回転と自動調芯作用で吸収されて摩擦抵抗の増大とならない。
　【０００９】
　【実施例】
　以下、図示の実施例によって本発明を説明すると、図１から図４は第１実施例で、図１は魚釣用スピニングリールの要部断面側面図、図２はリール本体の要部拡大断面側面図、図３はリール本体の一部拡大平面図、図４はリール本体の拡大断面背面図である。
　【００１０】
　魚釣用スピニングリールは、リール本体１と蓋体２に駆動歯車３の回動軸３ａが図示しない軸受で軸支され、回動軸３ａの中心多角形孔にハンドル１０が固定されたハンドル軸１１が左右交換自在に挿入嵌合されている。
　リール本体１の前部には軸受１２で回転軸筒４が回転自在に軸受されると共に前側に突出されている。
　軸受１２より前側の回転軸筒４の外周にスペーサリング１３が嵌合されてその前側にローター１４が嵌合されてナット１５で固定されている。
　回転軸筒４の基端は軸受１６で回転自在に軸承され、基端の前側に一体的に形成されたピニオン４ａに駆動歯車３が噛合されてローター１４はハンドル１０の回転に連動して回転されるように支持されている。
　前記回転軸筒４の中心孔には先端にスプール１７が取り付けられたスプール軸１８が前後往復動可能に摺動自在に挿入され、スプール軸１８の後部には摺動子５がビス１９で固着されている。
　【００１１】
　前記リール本体１内の回転軸筒４のピニオン４ａより前側に連動歯車２０と逆転防止爪車２１が回転軸筒４に回り止め嵌合されている。
　リール本体１内にはスプール軸１８と平行にトラバースカム軸６が支承されている。
　トラバースカム軸６の先端には小歯車２２が回り止め嵌合されて小歯車２２は前記連動歯車２０に噛合されている。
　前記トラバースカム軸６には前記摺動子５が嵌合されて摺動子５内に設けた係合子２３がトラバースカム溝６ａに係合されている。
　リール本体１内の底面には前後方向の凹部の底面１ａと縦壁面１ｂと、蓋体２の突出板２ａの先端縦壁面２ｂで溝ａが形成されている。
　【００１２】
　前記摺動子５にはスプール軸１８の後部が回り止め嵌合される貫通孔５ａとトラバースカム軸６が貫通される貫通孔５ｂと係合子２３が挿入される穴５ｃが形成されて一側に止め板２４がビス２５で固定されている。
　摺動子５の下側には凸軸５ｄが形成されてボールベアリングからなるころがり部材７が嵌合されてビス２６で取り付けられている。
　ころがり部材７はリール本体１の溝ａに挿入されている。
　摺動子５は金属や合成樹脂で形成されている。
　【００１３】
　前記魚釣用スピニングリールの動作は、ハンドル１０が回転されると、駆動歯車３が回転されてピニオン４ａを介して回転軸筒４が回転され、ローター１４が回転される。
　更に連動歯車２０と小歯車２２を介してトラバースカム軸６が連動回転されて摺動子５とスプール軸１８が前後に往復動される。
　回転軸筒４が回転され、スプール軸１８が前後に往復動される時、摺動子５はころがり部材７がリール本体１の溝ａに挿入されているので、ころがり案内支持される。
　【００１４】
　摺動子５がころがり案内支持される時、リール本体１と摺動子５の摺接は転がり摩擦となり、スプール軸線に対して摺動子５のｙ方向の平行度は、ころがり部材７がリール本体１の溝ａに挿入されて上下方向（ｙ方向）に拘束されていないから、平行度の不具合による摩擦抵抗の増大は発生しない。
　更にｚ方向の平行度は仮に平行度に誤差があってもころがり部材７の微量回転と自動調芯作用で吸収されて摩擦抵抗の増大とならない。
　凸軸５ｄは細く形成して弾性を持たせて平行度の誤差を吸収してもよい。
　この時金属の摺動子５に細い合成樹脂製の凸軸５ｄを一体的に固定して積極的に弾性を持たせてもよい。
　【００１５】
　前記のように魚釣用スピニングリールが構成されると、摺動子５がころがり案内支持されることで転がり摩擦となると共に、平行度の不具合による摩擦抵抗の増大は発生せず、軽快で円滑な巻取り操作性が得られ、摺動子５の回転方向のガタが極力防止できるので、耐久性が向上し、長期間、安定したオシレート機能が得られる。
　【００１６】
　図５は第１実施例の変形例で、図５はリール本体の要部拡大断面背面図である。
　【００１７】
　変形例では、リール本体１の溝ａ´はリール本体１内の底面の前後方向の凹部の底面１ａと縦壁面１ｂ、１ｃとで形成されている。
　他の構成は前記第１実施例と略同一である。
　【００１８】
　図６は第２実施例で、図６はリール本体の要部拡大断面背面図である。
　【００１９】
　第２実施例では、摺動子５の下側に２本の細い凸軸５ｅ、５ｆが形成されてボールベアリングからなるころがり部材７´が夫々嵌合されてＥリング２７で抜け止めされている。
　ころがり部材７′はリール本体１の溝ａに挿入されている。
　他の構成は前記第１実施例と略同一である。
　【００２０】
　２本の凸軸５ｅ，５ｆが細く形成されることで、ｚ方向の平行度が更に向上される。
　摺動子５は金属や合成樹脂で形成され、金属で形成されて弾性が弱い時には合成樹脂製の凸軸を一体的に固定して積極的に弾性を持たせてもよい。
　【００２１】
　図７は第３実施例で、図７はリール本体の要部拡大断面背面図である。
　【００２２】
　第３実施例では、摺動子５の下側に２本の細い凸軸５ｅ、５ｆが形成されて一方の凸軸５ｅにボールベアリングからなるころがり部材７´が嵌合されてＥリング２７で抜け止めされている。
　他方の凸軸５ｆにはスベリ軸受からなるころがり部材７´´が嵌合されてＥリング２７で抜け止めされている。
　ころがり部材７´ところがり部材７´´はリール本体１の溝ａに挿入されている。
　他の構成は前記第１実施例と略同一である。
　【００２３】
　【００２４】
　【００２５】
　【００２６】
　【００２７】
　図
８
１２
４
８
９
１０
１１
１２
　【００２８】
　第
４
　リール本体１に一体的に前後方向に案内杆２８が取り付けられてＥリング２９で抜け止めされている。
　案内杆２８の外周にはころがり部材９の中心が移動自在に嵌合されている。
　他の構成は前記第１実施例と略同一である。
　ころがり部材９は案内杆２８の外周方向に一列に並べられたボール３０とボール３０を位置決めする円筒３１と外輪３２とで構成されて、円筒３１の孔の中でボール３０が回転される。
　ころがり部材９のボール３０は案内杆２８外周の長手方向に循環式に設けてもよいし、非循環式としてもよい。
　【００２９】
　前記魚釣用スピニングリールの動作は、ハンドル１０が回転されると、駆動歯車３が回転されてピニオン４ａを介して回転軸筒４が回転され、ローター１４が回転される。
　更に連動歯車２０と小歯車２２を介してトラバースカム軸６が連動回転されて摺動子５とスプール軸１８が前後に往復動される。
　スプール軸１８が前後に往復動される時、ころがり部材９で摺動子５が案内杆２８の外周をころがり案内支持される。
　【００３０】
　摺動子５がころがり案内支持される時、リール本体１と摺動子５の摺接は転がり摩擦となり、スプール軸線に対して摺動子５のｙ方向の平行度は、ころがり部材９が摺動子５の凹部５ｈに挿入されて上下方向（ｙ方向）に拘束されていないから、平行度の不具合による摩擦抵抗の増大は発生しない。
　更にＺ方向の平行度は仮に平行度に誤差があってもころがり部材９の微量回転と自動調芯作用で吸収されて摩擦抵抗の増大とならない。
　【００３１】
　図
１３
５
１３
　【００３２】
　第
５
及び第３
　リール本体１内の底面には前後方向の凸堤１ｄが形成されている。
　ころがり部材７´は、ころがり部材７´間にリール本体１の凸堤１ｄが挾まれるように挿入されている。
　他の構成は前記第１実施例と略同一である。
　【００３３】
　摺動子５がころがり案内支持される時、リール本体１と摺動子５の摺接は転がり摩擦となり、スプール軸線に対して摺動子５のｙ方向の平行度は、ころがり部材７´がリール本体１の凸堤１ｄを挟むように挿入されて上下方向（ｙ方向）に拘束されていないから、平行度の不具合による摩擦抵抗の増大は発生しない。
　更にｚ方向の平行度は仮に平行度に誤差があってもころがり部材７の微量回転と自動調芯作用で吸収されて摩擦抵抗の増大とならない。
　２本の凸軸５ｅ、５ｆが細く形成されることで、ｚ方向の平行度が更に向上される。
　【００３４】
　前記第２実施例
及び
３
　前記各実施例の説明では、摺動子のオシレーティング機構をトラバースカム軸で構成説明したが、前記説明の▲１▼駆動歯車の軸に歯車を嵌合固定してこの歯車に噛合する歯車にピンを固定して摺動子を前後動運動させる構成や、▲２▼駆動歯車の側部に設けたカムで摺動子に連結した連結板を作動させて摺動子を前後動運動きせる構成で摺動子のオシレーティング機構としてもよい。
　【００３５】
　【発明の効果】
　本発明は前述のように構成されたから、各請求項に記載の発明によれば、摺動子がころがり案内支持されることで転がり摩擦となると共に、平行度の不具合による摩擦抵抗の増大は発生せず、軽快で円滑な巻取り操作性が得られ、摺動子の回転方向のガタを極力防止できるので、耐久性が向上し、長期間、安定したオシレート機能が得られる。
【図面の簡単な説明】
　【図１】
　第１実施例で、魚釣用スピニングリールの要部断面側面図である。
　【図２】
　同リール本体の要部拡大断面側面図である。
　【図３】
　同リール本体の一部拡大平面図である。
　【図４】
　同リール本体の拡大断面背面図である。
　【図５】
　第１実施例の変形例で、リール本体の要部拡大断面背面図である。
　【図６】
　第２実施例で、リール本体の要部拡大断面背面図である。
　【図７】
　第３実施例で、リール本体の要部拡大断面背面図である。
　【図８】
　
第４実施例で、魚釣用スピニングリールの要部断面側面図である。
　【図９】
　
同リール本体の要部拡大断面側面図である。
　【図１０】
　
同リール本体の一部拡大平面図である。
　【図１１】
　
同リール本体の拡大断面背面図である。
　【図１２】
　
同摺動子の拡大断面背面図である。
　【図１３】
　
第５実施例で、リール本体の拡大断面背面図である。
　【符号の説明】
１　リール本体
１ｂ、１ｃ、２ｂ　壁面
１ｄ　凸堤
５　摺動子
５ｈ　凹部
７、７´、７´´、８，８´、９　ころがり部材
１０　ハンドル
１７　スプール
１８　スプール軸
２８　案内杆
ａ、ａ´、ａ´´　溝
【図面】